(57)【要約】      （修正有）【課題】微視的又は巨視的対象物を結像する。【解決手段】結像装置（１）は、光源（２）と、照明ビーム路（６）と、結像ビーム路（７）と、特に対物レンズの形態の結像光学手段（４）とを備える。光源の光を規定可能な偏光状態に変換するための少なくとも１つの偏光手段（９）が照明ビーム路（６）に設けられる。検光子手段（１０）が結像ビーム路（７）に設けられ、検光子手段（１０）と偏光手段（９）は、結像ビーム路（７）に入る光が検光子手段（１０）を通過できないよう、互いに調整可能である。結像装置（１）のビーム路の光学構成要素（４）における望ましくない反射を抑制するために、調整可能な光学構成要素（１１）が偏光手段（９）と検光子手段（１０）との間のビーム路に設けられ、光学構成要素の調整に応じ、対象物の照明に使用される偏光光を偏光解消するために、又は偏光光を部分ビームに分割するために光学構成要素を使用する。【選択図】図１
2007293333.tif 000002
【特許請求の範囲】
【請求項１】
微視的又は巨視的対象物（５）を結像するための結像装置であって、光源（２）と、照明ビーム路（６）と、結像ビーム路（７）と、特に対物レンズの形態をした結像光学手段（４）とを有し、前記照明ビーム路（６）が前記光源（２）から前記対象物（５）に延在し、前記結像ビーム路（７）が前記対象物（５）から検出器又はチューブ（３）に延在し、前記光源（２）の光を規定可能な偏光状態に変換するために使用され得る少なくとも１つの偏光手段（９）が前記照明ビーム路（６）に設けられ、検光子手段（１０）が前記結像ビーム路（７）に設けられ、前記検光子手段（１０）と前記偏光手段（９）は、前記結像ビーム路（７）に入る光が前記検光子手段（１０）を通過できないように、互いに調整可能である、結像装置において、
前記偏光手段（９）と前記検光子手段（１０）との間に、調整可能な光学構成要素（１１）が設けられ、当該光学構成要素の調整に応じて、前記対象物の照明に使用される前記偏光光を大部分偏光解消するために、又は前記偏光光を部分ビームに分割するために、前記光学構成要素を使用できることを特徴とする結像装置。
【請求項２】
前記光学構成要素（１１）が、前記結像光学手段（４）と前記対象物（５）との間に配置されること、及び／又は、前記光学構成要素（１１）が、好ましくは前記結像光学手段を反転できるように、前記対象物側で前記結像光学手段（４）に適合されることができるスリーブ型ホルダ（１６）に受容されることを特徴とする、請求項１に記載の結像装置。
【請求項３】
前記光学構成要素（１１）が、（好ましくは一軸の）複屈折材料の少なくとも２枚のプレート（１２、１３）を有すること、及び／又は、前記光学構成要素（１１）が、略等しい厚さを有する複屈折材料の少なくとも２枚のプレート（１２、１３）を有することを特徴とする、請求項１又は２に記載の結像装置。
【請求項４】
一方のプレート（１２）の光学軸が他方のプレート（１３）の光学軸に対して略直角に配向されるように、前記光学構成要素（１１）が、当該光学構成要素（１１）の前記２枚のプレート（１２、１３）が互いに整列されるように調整されることができることを特徴とする、請求項３に記載の結像装置。
【請求項５】
前記光源（２）から来る光が第１のプレート（１２）を通過する際に光の分割が行われるように、かつ分割された光が第２のプレート（１３）を通過する際に少なくとも大部分について前記分割が反転されることができるように、前記光学構成要素（１１）が、当該光学構成要素（１１）の前記２枚のプレート（１２、１３）が互いに整列されるように調整されることができること、及び前記分割が角度分割又は横分割であることを特徴とする、請求項４に記載の結像装置。
【請求項６】
前記光源（２）から来る光が第１のプレート（１２）を通過する際に光の第１の分割が行われるように、かつ分割された光が第２のプレート（１３）を通過する際に他の分割がおそらくは行われるように、前記光学構成要素（１１）が、前記２枚のプレート（１２、１３）が互いに整列されるように調整されることができること、及び前記分割が角度分割又は横分割であることを特徴とする、請求項３〜５のいずれか一項に記載の結像装置。
【請求項７】
前記光学構成要素の２枚のプレート（１２、１３）が、好ましくは手動で又はモータによって操作可能に、互いに回転及び／又は傾斜させることができるように配置されることを特徴とする、請求項３〜６のいずれか一項に記載の結像装置。
【請求項８】
前記光学構成要素が、請求項１に記載の２つの調整の間で所望の中間状態を選ぶことができるように調整されることができること、及び／又は、セナルモン装置に匹敵するコントラストを達成するために使用できる少なくとも１つの手段、例えば、前記偏光手段（９）及び／又は前記検光子手段（１０）及び／又は前記光学構成要素（１１）を回転させるための回転装置が設けられることを特徴とする、請求項１〜７のいずれか一項に記載の結像装置。
【請求項９】
反射光照明ビーム路（６）及び／又は前記対象物（５）の明視野照明及び／又は広視野結像を特徴とする請求項１〜８のいずれか一項に記載の結像装置。
【請求項１０】
偏光手段（９）と、検光子手段（１０）と、調整可能な光学構成要素（１１）とを有するマクロスコープ用又は顕微鏡用の後装着キットであって、請求項１〜９のいずれか一項に記載の結像装置（１）を形成できるように、前記偏光手段（９）と、前記検光子手段（１０）と、光学構成要素（１１）とを前記顕微鏡又は前記マクロスコープの前記ビーム路（６、７）に導入できる、マクロスコープ用又は顕微鏡用の後装着キット。
【発明の詳細な説明】
【技術分野】
【０００１】
本発明は、微視的（顕微鏡的）又は巨視的対象物を結像するための結像装置に関する。結像装置は、光源、照明ビーム路、結像ビーム路、及び特に対物レンズの形態の結像光学手段を備える。照明ビーム路は光源から対象物に延在する。結像ビーム路は、対象物から検出器又はチューブに延在する。少なくとも１つの偏光手段が照明ビーム路に設けられ、この偏光手段は、光源の光を規定可能な偏光状態に変換するために使用することができる。検光子手段が結像ビーム路に設けられ、検光子手段及び偏光手段は、結像ビーム路に入る光が検光子手段を通過できないように、互いに対して調整されることができる。言い換えれば、検出器又はチューブに向かって伝播する光は基本的に完全に消滅する。直線偏光光の場合、偏光手段によって偏光された光が、検光子手段に向かって照明ビーム路と結像ビーム路とを横断するならば、検光子手段の偏光方向に対して直角の偏光方向に配向（偏光子の交差配向）されるように、検光子手段の偏光方向を偏光手段によって調整できる。本発明はまた、従来のマクロスコープ又は従来の顕微鏡用の後装着キットに関する。
【背景技術】
【０００２】
微視的又は巨視的対象物を結像するための結像装置は、長い間従来技術から知られている。具体的には、一方で、顕微鏡的な対象物が検査されるか又は結像される場合、通常、結像装置は顕微鏡である。他方、巨視的な対象物が検査されるか又は結像される場合、通常、結像装置は顕微鏡である。微分干渉コントラスト（ＤＩＣ）を有する顕微鏡は、特に、直線又は円形偏光子及び対応する検光子のみでなく、ウォラストンプリズムも有する。
【０００３】
特にマクロスコープは、より小さな倍率、例えば０．５ｘ〜４ｘの結像光学手段を有する。一次反射は、倍率の低い対物レンズによる同軸の反射光照明の場合、明視野用途の結像を著しく妨げる。これらの一次反射は、照明及び結像ビーム路の両方に配置される光学構成要素の表面に主に生じる。空気／ガラス境界移行部及びガラス／空気境界移行部は、主に明視野用途では結像ビーム路内に、すなわち検出器及び／又はチューブ又はユーザの目に対して妨害効果を発生し、したがって、正確には、これらの移行部における光源に面する結像光学手段の境界における照明光の反射について特に言及されるべきである。
【発明の開示】
【発明が解決しようとする課題】
【０００４】
したがって、本発明は、明視野用途で、望ましくない反射が大部分抑制され、かつＤＩＣ結像モードを有する冒頭に述べた種類の結像装置を提示しかつ発展させる目的に基づいている。さらに、本発明は、望ましくない反射を大部分抑制するために使用できる従来のマクロスコープ用又は従来の顕微鏡用の後装着キットを提供する目的に基づいている。
【課題を解決するための手段】
【０００５】
冒頭に述べたタイプの本発明による結像装置は、請求項１の特徴によって上述の目的を達成する。この特徴によれば、このタイプの結像装置は、調整可能な光学構成要素が、照明ビーム路に及び／又は偏光手段と検光子手段との間の結像ビーム路に設けられ、光学構成要素の調整に応じて、対象物の照明に使用される偏光光を大部分偏光解消するために、又は偏光光を部分ビームに分割するために光学構成要素を使用できるという事実を特徴とする。
【０００６】
このように、第１に、それぞれの偏光手段及び検光子手段が結像装置のビーム路（すなわち照明ビーム路及び／又は結像ビーム路）の適切な位置に設けられる場合、結像ビーム路の又は検出器／チューブ上流の上述の反射を少なくとも有効に抑制できるか、あるいは理想的な場合に完全にマスクできることが認識されている。このように、一例として、光源と照明ビーム路の第１の光学構成要素（例えばレンズ）との間に直線偏光フィルタを設けることができ、この偏光フィルタにより、光源の未偏光光は、規定可能な偏光方向の直線偏光光に変換される。今や、直線偏光光は、照明又は結像ビーム路に設けられた光学構成要素に反射をさらに発生する。ビームスプリッタと対象物との間に生じる一次反射は、結像ビーム路に直接入り、したがってイメージに重ね合わせられるので、特に妨害効果を有する。しかし、これらの反射は、分析器の偏光方向が照明光の偏光方向に対して、又は検出器又はチューブに向かう結像ビーム路の光伝播に対して直角に配向される場合、あるいは言い換えれば、偏光子の振動方向及び検光子の振動方向が交差する場合、同様に直線偏光フィルタを意味する検出器又はチューブの上流に配置された検光子を使用して、抑制されるか、又はフィルタ除去されることができる。しかし、この構成では、検査すべき対象物は、同様に直線偏光光で照明され、かつ対象物に、照明光の偏光を変化させる複屈折特性がない場合又は他の任意の特性がある場合、対象物で反射された光は交差調整のため検光子手段を通過できないので、結像装置の反射光動作の場合に対象物の認識は困難であろう。
【０００７】
したがって、調整可能な光学構成要素が、本発明による方法で設けられ、かつビーム路に配置されて、光学構成要素の調整に応じて、光学構成要素の可能な調整位置の１つの位置で又は光学構成要素の動作状態で、偏光手段によって偏光された対象物照明に使用される光源の偏光光を大部分偏光解消するために使用することができる。この点に関し、対象物は未偏光光で照明され、したがって、対象物から進む未偏光光は、結像ビーム路に入り、この光が偏光解消され、結果として検光子手段の偏光方向に略対応する振動部分を有するので、検光子手段も通過することができる。顕微鏡及びマクロスコピーの両方で、対象物スライドとしてガラスプレートが通常使用されることを指摘したい。光学構成要素がこのように調整されるとき、明視野用途を達成することができる。光学構成要素の他の調整について、光学構成要素は、ＤＩＣ用途を可能にする部分ビームに光を分割する。
【０００８】
本発明による結像装置の特に好ましい実施形態では、光学構成要素は、結像光学手段と対象物との間に配置される。このように、光学構成要素は、結像装置のビーム路に、正確には照明ビーム路に配置される。この点に関し、特に対象物の照明に使用される光は、偏光解消される。照明光は、偏光手段と結像光学手段との間に直線又は円形偏光を有する。
【０００９】
構造に関し、光学構成要素は、対象物側で結像光学手段に又は対物レンズに適合できるスリーブ型ホルダに受容できるであろう。この適合は、光学構成要素をビーム路から取り除くことができ、したがって、偏光手段及び検光子手段のみが結像装置に留まるように、光学構成要素を反転できるようなものであることが好ましい。さらに、例えば、各々の場合にフィルタトレイに配置される偏光手段及び検光子手段は、結像装置から取り除くことができ、その結果、完全に従来の顕微鏡又はマクロスコープに結像装置を変換することができる。
【００１０】
偏光手段は、光源と結像光学手段との間の照明ビーム路に配置できるであろう。偏光手段は、直線又は円形偏光フィルタを有することが好ましい。円形偏光フィルタは直線偏光子を備え、その下流にλ／４プレートが配置される。直線偏光子を通過する光は、直線偏光子によって直線的に偏光され、直線的に偏光された光はλ／４プレートによって円形偏光光に変換される。
【００１１】
検光子手段は、結像光学手段と検出器及び／又はチューブとの間の結像ビーム路に配置でき、同様に直線又は円形偏光フィルタを有することができるであろう。検光子手段の円形偏光フィルタはλ／４プレートを備え、その下流に直線偏光子が配置される。λ／４プレートは、円形偏光光を直線偏光光に変換するために使用される。直線偏光子の直線偏光方向に対して平行に配向された振動部分を有する光のみが、直線偏光子を通過できる。基本的に、直線又は円形偏光光を未偏光光に変換するすべての光学構成要素は、今や光学構成要素として使用することができるであろう。光学構成要素は、略等しい厚さの複屈折材料の少なくとも２枚のプレートを備えることが特に好ましい。この種類のプレートは、例えば、一軸に複屈折の結晶を有することができるであろう。
【００１２】
光学構成要素の２枚のプレートは、結晶光学軸がプレートの表面に対して平行に走らないようなものである。通過すると、これによって、光は、通常成分と異常成分との光路差のみでなく、プレート内部の角度分割又は平行平面プレートの後方の横方向オフセットも経験する。プレートの後方の横方向オフセットが補償されるように２枚のプレートが整列される場合、通常部分ビームと異常部分ビームとの光路差は効果として残る。
【００１３】
それ自体では、１つの波長のみの光が使用される場合、これにより偏光解消はもたらされないであろう。しかし、顕微鏡又はマクロスコープの従来の光源は、白色光、すなわち視覚スペクトルの複数の波長部分の光を発生する。空間分割及びその補償は、照明光の各波長部分について、光学構成要素の２枚のプレートによってこのように行われ、この結果、偏光解消効果に対応する異なる偏光状態の混合をもたらす。プレートが１ｍｍ以上の厚さを有する場合、この効果を特に有利に達成することができる。第１のプレートは、第２のプレートから幾分距離を置いて配置することができる。光学構成要素がこのように調整された場合、結果として得られる光学装置は、同軸反射光の明視野用途と同様の用途に対応する。
【００１４】
他方、光学構成要素の他の調整において、光源から来る光が第１のプレートを通過するときに光の第１の横分割が行われるように、かつ分割された光が第２のプレートを通過するときに他の横分割がおそらくは行われるように、２枚のプレートを互いに整列させることができるであろう。より具体的には、２つの個々の分割を含む好ましくは１つのみの全体的分割を達成できるように、互いに整列される２枚のプレートを設けることができ、一方のプレートは第１の個々の分割を行い、第２のプレートは第２の個々の分割を行う。このように、光ビームは、通常／異常な順序で第１のプレートを通過し、また異常／通常の順序で第２のプレートを通過する。プレートの略同一の軸方向位置及び厚さのため、２つの部分ビームの間の光路差は発生しない。このコントラスト法は、反射光の伝統的なＤＩＣ方法に対応し、この場合、直線偏光光は、互いに直角に偏光される２つの部分ビームに分割され、横方向にオフセットして対象物を照明し、かつ対象物における反射後にプリズム装置によって再結合されて、検光子によって共通の振動面に運ばれ、結果として干渉する。少なくともこの実施形態の変形では、偏光手段の偏光方向及び／又は検光子手段の偏光方向の調整により、セナルモン補償装置によって比較可能に達成されることができるコントラストを達成することができる。部分ビームの位相角に干渉する、したがってコントラストを変更する他の可能性は、プレートの一方を傾斜させることである。これによって、コントラストは、対象物にあるいは、選択的に、観測者の観測の癖に整合されることができる。
【００１５】
今や、光学構成要素は、一方で、互いに対して回転できるように、光学構成要素の２枚のプレートを配置することによって調整できるであろう。調整は、手動で、又はモータ、例えば、このために設けられる適切なホルダによって行うことができるであろう。他方、光学構成要素全体は、ビーム路で回転できるように配置でき、これにより、光学構成要素の調整性を達成できるであろう。
【００１６】
ごく一般的に、光学構成要素は、請求項１に記載の２つの調整の間で任意の所望の中間状態を選ぶことができるように調整されることができ、偏光光は偏光解消されるか、あるいは偏光光は部分ビームに分割される。これにより、一方で、結像ビーム路からの一次妨害反射を大部分抑制でき、他方で、ＤＩＣ方法と同様であるか又はそれに近い画像のコントラストを達成できる中間状態を発生することも可能である。最適化された対象物結像を達成できるように、光学構成要素を最終的に調整できるであろう。
【００１７】
上述のように、本発明による結像装置の光ビーム路の形成は、より正確には、例えば、結像光学手段と対象物との間に光学構成要素を配置し、光源と結像光学手段との間の照明ビーム路に偏光手段を配置し、結像光学手段と検出器又はチューブとの間の結像ビーム路に検光子手段を配置することによって、従来のマクロスコープ又は従来の顕微鏡に適用できるであろう。
【００１８】
特に好ましい方法では、本発明による結像装置は、特に同軸の反射光照明ビーム路及び／又は対象物の明視野照明を有する。言い換えれば、対象物は１つの方向から照明され、対象物は反対方向で結像される。結果として、結像光学手段は、対象物の照明及び結像の両方のために使用される。
【００１９】
上述のように、妨害反射は、対物レンズ又は小さな開口数の結像光学手段で、及び／又は低倍率の場合に顕著である。したがって、本発明による手順は、このタイプの結像光学手段に使用することが好ましい。低倍率は、特に、０．５ｘ〜４ｘ、ある場合には最高１０ｘの倍率であると理解される。
【００２０】
好ましい実施形態の変形では、セナルモン装置に匹敵するコントラストを達成するために使用できる少なくとも１つの手段が設けられる。この手段は、例えば、偏光手段及び／又は検光子手段及び／又は光学構成要素を回転させるために使用できる回転装置を有することができるであろう。このように、それぞれの構成要素は、したがって、すなわち手動で又はモータによって回転されることができるホルダに配置できるであろう。
【００２１】
マクロスコープ用又は顕微鏡用の後装着キットに関し、冒頭に言及した目的は、特許請求項１６の特徴によって達成される。したがって、後装着キットは、偏光手段と、検光子手段と、光学構成要素とを備える。偏光手段、検光子手段及び光学構成要素は、請求項１〜１５のいずれか一項に記載の結像装置を形成できるように、顕微鏡又はマクロスコープのビーム路に導入される。このタイプの後装着キットは、正確には、それぞれの機器がエンドユーザの家屋で長い間使用されていたとしても、従来のマクロスコープ又は顕微鏡を本発明による結像装置に変換するために、特に有利に使用することができる。しかし、このための前提条件は、それぞれの機器が、ビーム路内にそれぞれの構成要素を導入できる対応する取付け具又は挿入手段を有することであり、それぞれの構成要素（偏光手段、検光子手段及び光学構成要素）は、対応する互換性ホルダに、あるいは取付け具又は挿入手段に補足的に形成された構成要素に配置される。
【００２２】
要約すると、本発明による結像装置は、少なくとも偏光手段及び検光子手段に関し、微分干渉コントラスト（ＤＩＣ）設計に匹敵する設計を有することを強調したい。結像装置に通常設けられるウォラストンプリズムは、不要である。その代わりに、調整可能な光学構成要素が設けられる。特に有利な方法では、このように、倍率の低い対物レンズにも、本発明による結像装置の形態の１つの結像モードに、微分干渉コントラスト法又はそのために適切な設計を設けることができる。他の結像モードでは、妨害反射を有利に抑制できる明視野結像を達成することができる。調整可能な光学構成要素の調整により、２つの結像モードの前後又は２つの結像モードの間の切り替えが可能である。
【００２３】
本発明の教示を有利に設計しかつ発展させる様々な可能性がある。第一に、この点に関し、請求項１に従属する特許請求の範囲が参照され、第二に、図面を参照した本発明の好ましい例示的な実施形態の説明が参照される。一般に、教示の好ましい改良及び発展形態も、図面を参照した本発明の好ましい例示的な実施形態の説明に関連して説明される。
【発明を実施するための最良の形態】
【００２４】
図面において、同一又は同様の構成要素は同一の参照符号によって示される。図１は、本発明による結像装置１の例示的な実施形態を示している。結像装置１は、光源２（例えば従来の白色光源）と、（概略的に示される）検出器又はチューブレンズ３とを備える。マクロスコープの場合、結像された対象物は、厳密に言えば、結像ビーム路がユーザの目に正しく延びるように、概略的に示したチューブレンズ３を通して観測される。
【００２５】
さらに、結像装置１は結像光学手段４を備える。参照符号５は、結像装置１の対象物面を示しており、この上に、対象物（通常対象物スライド又は試験片ステージ）が位置決めされる。簡明さのため、結像すべき対象物を示すために、参照符号５が以下においても使用される。このように、照明ビーム路６は光源２から対象物５まで延在する。結像ビーム路７は、対象物５からチューブレンズ３まで、又はユーザの目（図１に図示せず）まで延在する。光源２の光又は照明光は、ビームスプリッタ８で結像光学手段４及び対象物５の方向に反射される。対象物５で反射された照明光は、結像光学手段４によってチューブレンズ３の方向に少なくとも部分的に結像され、そのプロセスにおいて、少なくとも大部分は、適切な伝送又は反射率を有するビームスプリッタ８を通過する。例えば、光源に面するビームスプリッタ８の表面は、光源の光の４０パーセントのみがビームスプリッタ８によって対象物５の方向に反射されるように、０．４の反射係数を有することができる。次に、同様に対象物５で反射された光の４０％が、光源の方向に反射されるが、対象物によって反射される光の約６０％の残りの部分は、ビームスプリッタ８を通して検出器又はチューブレンズ３の方向に通過できる。したがって、図１による例示的な実施形態は、反射光照明ビーム路を含み、照明ビーム路及び結像ビーム路６と７の両方は、対象物５とビームスプリッタ８との間に延在する。
【００２６】
偏光手段９は、照明ビーム路６に、かつ光源２とビーム分割器８との間に配置され、偏光手段９は、光源２の光を規定可能な偏光状態にするために使用することができる。検光子手段１０は、結像ビーム路７に、またビームスプリッタ８とチューブレンズ３との間に配置される。検光子手段１０は、偏光手段９のように、同様に直線偏光フィルタであり、偏光手段９は、それらの偏光方向が互いに略直角に配向（交差配向）されるように、検光子手段１０に対して配置される。
【００２７】
本発明によれば、調整可能な光学構成要素１１は、結像光学手段４と対象物５との間に配置される。光学構成要素１１は、対象物５が偏光解消光によって照明されるように、偏光手段９によって直線偏光された光源２の光を偏光解消するために使用することができる。
【００２８】
図２は、偏光解消的に作用する光学構成要素１１としての動作方法を示している。図２に示した光学構成要素１１は、互いに略平行に配置されかつ等しい厚さの２枚のプレート１２、１３を有する。プレート１２及びプレート１３の両方は、同一の光学材料から、より正確には複屈折の一軸結晶から構成される。したがって、両方のプレート１２、１３の結晶光学軸は、両頭矢印によって示される。プレート１２の結晶光学軸は、上からプレート１２に入る光ビームが２つの部分ビーム１４、１５に、より詳しくは通常の部分ビーム１４及び異常な部分ビーム１５に分割されるように整列される。２つの部分ビーム１４、１５が異なる角度でプレート１２を通過するので、これは角度分割である。プレート１２を出て、プレート１３に入る部分ビーム１４、１５は、対応して異なって配向されたプレート１３の結晶光学軸のため再結合され、その結果、２つの部分ビーム１４、１５の角度分割がプレート１３によって補償されるか、あるいは反転される。この場合、空間的に再結合された部分ビーム１４、１５は、互いに対して光路差を有する。図２は、１つの特定の波長の１つの光ビームを示しているに過ぎない。しかし、光源２の光は、可視スペクトルの複数の波長部分を有するので、各波長の光路は、照明光のすべての波長部分を考慮しつつ、全体的に、偏光解消効果と等価である多種多様な偏光状態の混合が行われるように幾分異なる。
【００２９】
図３は、他の調整における又は他の操作モードにおける図２の光学構成要素１１を示している。図３に示した光学構成要素１１は、図２に示した光学構成要素１１と同様に、互いに略平行に配置される２枚のプレート１２、１３を有する。プレート１２とプレート１３の両方は、同一の複屈折の一軸の光学材料から構成される。したがって、両方のプレート１２、１３の結晶光学軸は両頭矢印によって示されている。図２と反対に、プレート１３は、光学軸に対して９０°回転される。プレート１２の結晶光学軸は、上からプレート１３に入る光ビームが２つの部分ビーム１４、１５に、より詳しくは通常の部分ビーム１４及び異常な部分ビーム１５に分割されるように整列される。今や、プレート１３の結晶光学軸は、この調整で、２つの部分ビーム１４、１５が、図２による例示的な実施形態のように再結合されず、むしろ空間分割が維持されるように整列される。２枚のプレート１２、１３の軸方向位置及びそれらの同一の厚さのため、２つの部分ビームは、２枚のプレート１２、１３を通過した後に光路差を有せず、互いに横方向オフセットを有する。
【００３０】
図３の２枚のプレート１２、１３の下に示されている円は、光学構成要素１１と対象物５との間の位置における照明ビーム路６の断面積を概略的に示している。示した３つの点は、各々の場合に、プレート１２、１３によって達成される個々の分割を示している。円内の矢印の端部は、２枚のプレートの配置に基づき達成できる一方の部分ビームの得られる分割を示している。このように、上からプレート１２に入る照明ビーム路６の一方の光ビームは、第２のプレートを通過する２つの部分ビームに、より詳しくは各々の場合に図３の円内の矢印の端部で分割される。しかし、ビーム分割は、目に見える二重像が生じないようにビーム分割の大きさが結像装置又は結像光学手段４の横解像力未満であるように選択される。この種類の配置は、セナルモン法によるコントラスト調整と関連して、顕微鏡の微分干渉コントラスト法に対応する。コントラスト調整は、例えば、偏光手段９及び／又は検光子手段１０及び／又は光学構成要素１１、又はプレート１２及び／又は１３を回転させることによって達成することができる。
【００３１】
例示的な実施形態に概略的にのみ示した図４は、図２と図３の光学構成要素１１が、結像光学手段４にいかに適合されるかを示している。このことは、光学構成要素１１がスリーブ型の構成要素１６に配置されるように達成される。構成要素１６は、例えば結像光学手段４を固定結像光学手段４のハウジングに挟持するか、あるいはバヨネットロックに匹敵する方法で形成されるか、又はバヨネットロックと同様であるロック手段を結像光学手段４に設けることによって、可逆に結像光学手段４に適合させることができる。この場合、構成要素１６を使用して、光学構成要素１１を簡単かつ迅速にはめ込むか又は取り外すことができる。結像光学手段４は、典型的に６０ｍｍのオーダの大きな動作距離を有するので、結像光学手段には十分な空間がある。構成要素１６の内部部分１７は、回転不能に結像光学手段４に配置される。構成要素１６の外部部分１８は、結像光学手段４及び内部部分１７に対して回転させることができ、これは、概略的に示した軸受１９の補助により可能である。内部部分１７はプレート１２を保持し、外部部分１８はプレート１３を保持する。結像光学手段４に対して、かつ内部部分１７に対して外部部分１８を回転させることにより、図２と図３に示した動作状態の間で、調整可能な光学構成要素１１の切り換えが可能である。
【００３２】
最後に、特に、上に説明した例示的な実施形態は請求した教示をあくまでも説明するために使用されるだけであり、これらの教示を例示的実施形態に限定するものではないことが指摘される。
【図面の簡単な説明】
【００３３】
【図１】本発明による結像装置の例示的実施形態の概略図である。
【図２】光学構成要素の例示的実施形態の概略図である。
【図３】他の動作状態の図２の光学構成要素の概略図である。
【図４】光学構成要素を結像光学手段に適合させる１つの可能な方法が示されている例示的実施形態の概略図である。
【符号の説明】
【００３４】
１  結像装置
２  光源
３  チューブレンズ
４  結像光学手段
５  対象物面又は対象物
６  照明ビーム路
７    結像ビーム路
８    ビームスプリッタ
９    偏光手段
１０  検光子手段
１１  光学構成要素
１２  図２と図３からの（１１）の第１のプレート
１３  図２と図３からの（１１）の第２のプレート
１４  普通の部分ビーム
１５  異常な部分ビーム
１６  （１１）を有するスリーブ型構成要素
１７  （１６）の内部
１８  （１６）の外部  １９  （１７）と（１８）の間の軸受
【図１】
2007293333.tif 000003
【図２】
2007293333.tif 000004
【図３】
2007293333.tif 000005
【図４】
2007293333.tif 000006
【外国語明細書】
2007293333000001.pdf
2007293333000002.pdf
2007293333000003.pdf
2007293333000004.pdf